(57)【要約】【課題】結線作業の効率を向上させることができる端子板組立体を提供することを目的とする。【解決手段】並列された複数のＵスリット端子からなるＵスリットハウジングと、前記各Ｕスリット端子に電気的に接続され嵌合方向に対して位置をずらして並設されたコネクタと、前記Ｕスリット端子に電線を通線する通線口ユニットとを有する端子板を複数用いて多段に配列し、フロントプレートを含む枠体により保持される端子板組立体において、前記コネクタに嵌合される外部コネクタの突出部を保護するコネクタシールドを有することにより、上記課題を解決する。【選択図】        図５
2004259621.tif 000002
【特許請求の範囲】
【請求項１】
並列された複数のＵスリット端子からなるＵスリットハウジングと、前記各Ｕスリット端子に電気的に接続され嵌合方向に対して位置をずらして並設されたコネクタと、前記Ｕスリット端子に電線を通線する通線口ユニットとを有する端子板を複数用いて多段に配列し、フロントプレートを含む枠体により保持される端子板組立体において、
前記コネクタに嵌合される外部コネクタの突出部を保護するコネクタシールドを有することを特徴とする端子板組立体。
【請求項２】
前記コネクタシールドは、
前記フロントプレートから前記突出部に向けて傾斜を設けて形成されることを特徴とする請求項１に記載の端子板組立体。
【請求項３】
並列された複数のＵスリット端子からなるＵスリットハウジングと、前記各Ｕスリット端子に電気的に接続されているコネクタと、前記Ｕスリット端子に電線を通線する通線口ユニットとを有する端子板と、
前記端子板を識別する示名条片台と、
前記示名条片台が取り付けられるフロントプレートとを有し、前記フロントプレートを含む枠体により複数の前記端子板が多段に配列されて保持される端子板組立体において、
前記フロントプレートは、前記示名条片台を摺動させる摺動部と、前記示名条片台を係止させる係止部とを有することを特徴とする端子板組立体。
【発明の詳細な説明】
【０００１】
【発明の属する技術分野】
本発明は、端子板組立体に係り、特に、複数の通信回線を収容することができる端子板組立体に関する。
【０００２】
【従来の技術】
従来、電話やコンピュータ等、通信機能を有する機器同士の通信回線（電線）を中継、又は分岐するために端子板が用いられている。特に、電話局等においては膨大な数の回線や端子を管理する必要があるため、複数の通信回線の整線を行うことができる端子板を用いて交換機側コネクタと通信回線（電線）におけるジャンパ線とを結線させている。また、従来では、複数の端子板を組み立てることにより構成される端子板組立体が存在し、端子板組立体を用いることで、複数の端子板と通信回線とを管理することができる（例えば、特許文献１参照。）。
【０００３】
なお、電話局に設定されている通信機器用の端子板組立体は、局側にあるＭＤＦ（Ｍａｉｎ  Ｄｉｓｔｒｉｂｕｔｉｏｎ  Ｆｒａｍｅ）への取り付け寸法が決まっているため、従来の端子板では通信回線の数を増加させることができない。しかしながら、近年では、ＡＤＳＬ（Ａｓｙｍｍｅｔｒｉｃ  Ｄｉｇｉｔａｌ  Ｓｕｂｓｃｒｉｂｅｒ  Ｌｉｎｅ）等の普及により通信回線が増加傾向にあるため、端子板に収容できる通信回線を増加させて高密度化することにより対応する必要がある。そこで、多くの通信回線が接続でき、交換機側コネクタとジャンパ線との結線作業を容易に行えるように構成された端子板及び端子板組立体が本出願人により提案されている。
【０００４】
ここで、本出願人により提案されている端子板及び端子板組立体について、図を用いて説明する。
【０００５】
図１は、端子板の一例を示す斜視図である。図１の端子板１０は、プリント配線板１１と、入回線接続用端子して用いられる１列１６個のＵスリット端子が図１において上下に配列されている計３２個のＵスリット端子を備えたＵスリットハウジング１２と、フレーム１３−１，１３−２と、通線口ユニット１４と、Ｕスリットハウジング１２にあるＵスリット端子毎に設けられた半導体保安素子１５と、交換機側コネクタ１６−１，１６−２と、交換機側コネクタ１６−１，１６−２に夫々接続されるケーブル付コネクタ１７−１，１７−２とを有するよう構成されている。
【０００６】
半導体保安素子１５は、通信回線から侵入してくる過電圧、過電流が交換機側の通信機器に流入することを防止するための素子であり、例えば、双方向性ｐｎｐｎサージ防護デバイス、アバランシェダイオード、酸化亜鉛バリスタ等にて構成される。また、端子板１０は、１６回線分の通信回線に対応させるために２つの交換機側コネクタ１６−１，１６−２を用いており、交換機側コネクタ１６−１，１６−２は、ケーブル付コネクタ１７−１，１７−２の夫々のケーブルが同一方向に配線された場合においてケーブルが邪魔になり交換機側コネクタ１６とケーブル付コネクタ１７とが嵌合できないことがないよう嵌合方向に対して所定間隔だけ位置をずらし、嵌合面が階段状になるよう並設されている。
【０００７】
また、ケーブル付コネクタ１７はコネクタタブ１８を有し、コネクタタブ１８は交換機側コネクタ１６との着脱時に使用される。ここで、交換機側コネクタ１６とケーブル付コネクタ１７との着脱方法について説明する。まず、交換機側コネクタ１６にケーブル付コネクタ１７を取り付ける場合、ケーブル付コネクタ１７と交換機側コネクタ１６に有する凹部、凸部を嵌合させ、更に、コネクタタブ１８の先端の突起部をケーブル付コネクタ１７本体に係止させコネクタタブ１８を閉じた状態にすることにより、ケーブル付コネクタ１７が交換機側コネクタ１６から取り外せない状態になり取り付けが完了する。また、取り外しを行う場合は、図１のコネクタ付ケーブル１７−２，コネクタタブ１８−２に示すように、コネクタタブ１８を開いた状態にしてケーブル付コネクタ１７を引き抜くことにより容易に取り外すことができる。
【０００８】
また、プリント配線板１１は、図１に示す端子板１０において上下２枚有し、１枚が１列１６個のＵスリット端子に半田付けされて電気的に接続されている。通線口ユニット１４は、２枚のプリント配線板１１の間に挟み込まれた状態で取り付けられている。
【０００９】
端子板１０は、上述したプリント基板１１、交換機側コネクタ１６、Ｕスリットハウジング１２、及び通線口ユニット１４がフレーム１３−１，１３−２により保持され形成されている。
【００１０】
ここで、端子板１０の通線口ユニット１４について図を用いて説明する。
【００１１】
図２は、通線口ユニットを説明するための一例の図である。なお、図２（ａ）は端子板の上面図を示し、図２（ｂ）は端子板の右側面図を示している。また、図２（ａ）におけるＵスリットハウジング１２は、右半分に上面図を、左半分に断面図を示しており、更に、中央の黒塗り部分はＵスリットハウジング１２に配列されているＵスリット端子を示している。
【００１２】
図２において、破線２１は、線通口２２から挿入される電線（ジャンパ線）を所望するＵスリットまで容易に導通させるための区切り壁である。また、線通口ユニット１４のジャンパ線の挿入面には、所定の間隔毎に突起２３が形成されており、突起２３は、通線口２２を識別するためのものである。例えば、この突起部２３を例えば４通線口間隔毎に設けることにより、作業者のジャンパ線の通線ミスを防止しＵスリット端子への結線ミスを防止することができる。
【００１３】
また、Ｕスリットハウジング１２に設けられたＵスリット端子は、プリント配線板１１に半田付けされており、交換機側コネクタ１６は、２枚のプリント配線板１１の間に挟み込まれた状態で保持され、交換機側コネクタ１６の端子はプリント配線板１１に半田付けされている。これにより、入回線であるジャンパ線をＵスリット端子に接続することで交換機側コネクタ１６と電気的に接続されることになる。なお、交換機側コネクタ１６は、出回線接続用端子として用いられる。
【００１４】
端子板１０を用いることにより、通信回線であるジャンパ線と交換機側のケーブルとの中継を容易に行うことができ、また、収容回線数における小型化、高密度化も実現できる。
【００１５】
更に、電話局等では、端子板をある区域、建物、又は企業毎に一括して管理するため、複数の端子板を多段積みさせた端子板組立体により、より多くの回線を収容し一括して管理している。
【００１６】
また、端子板組立体は、該組立体がどの区域の回線の結線を行っているのかを作業員に容易に理解させるために、区域、建物、又は企業名等に分類ができるよう文字や記号等を記載し識別を可能にするための示名条片台を端子板組立体に取り付けている。
【００１７】
ここで、上述した端子板組立体について図を用いて説明する。
【００１８】
図３は、端子板組立体の一例を示す斜視図である。
【００１９】
図３に示すように端子板組立体３０は、ＭＴＧ（ＭＯＵＮＴＩＮＧ）３１と、フロントプレート３２と、端子板毎に使用するジャンパ線を束にして整線させるための整線部３３と、示名条片台３４と、ＭＤＦに取り付けるためのボルトを有するＭＤＦ取付部３５とを有するよう構成されている。また、端子板組立体３０には、上述した端子板１０を１２枚用いて、夫々同一面を向くようにＭＴＧ３１及びフロントプレート３２からなる枠体により多段に配列されるよう保持させることで１９２回線が収容可能な端子板組立体が形成される。なお、フロントプレート３２はＭＴＧ３１と一体でもよく、別体であってもよい。
【００２０】
また、示名条片台３４は、図３に示す多段に配列された端子板１０のＵスリットハウジング１２面側に構成される左右一対のフロントプレート３２を挟むようコの字型に形成され、更に、示名条片台３４の先端部には内側に取付用突起部が形成されているため、その取付用突起部をフロントプレート３２に形成されている示名条片台取付用開口部３６に嵌め込むことにより取り付けることができる。なお、図３において、示名条片台取付用開口部３６が多段積みされた端子板の上段と下段に形成されているのは、端子板組立体３０をＭＤＦに取り付ける際、通線口ユニット面側を上面に、ケーブル付コネクタ接続面を下面になるように取り付けた場合に、示名条片台３４がＵスリットハウジング１２面側から見て左側に取り付けることができるようにするためである。
【００２１】
図１から図３に示した端子板及び端子板組立体により、多数の通信回線を中継又は分岐する端子板の小型化、高密度化を可能にし、また、ＭＤＦへの取付寸法を維持したまま、多くの通信回線を収容でき同時に管理することができる。
【００２２】
【特許文献１】
実開平３−５４３２８号公報
【００２３】
【発明が解決しようとする課題】
ところで、上述の図１から図３に示す端子板１０及び端子板組立体３０を用いて結線作業を行う場合、作業員は、通線口ユニット１４からジャンパ線を挿入し、Ｕスリットハウジング１２側から、各Ｕスリット端子に結線を行った後、交換機側コネクタ１６とケーブル付コネクタ１７との嵌合作業を行うことにより入回線と出回線の結線作業を行う。ここで、作業員が、Ｕスリットハウジング１２面側から図３における矢印ａ方向に手を延ばした場合に、階段状に構成されたケーブル付コネクタ１７の突出部に作業員の手や洋服の袖等が接触し、コネクタタブ１８が開いてしまうことがある。
【００２４】
上述したように、コネクタタブ１８が開いた状態では、ケーブル付コネクタ１７を容易に取り外すことができるため、作業員が気づかずにケーブル付コネクタ１７が外れてしまい、回線の結線不良が生じてしまう。また、交換機側コネクタ１６とケーブル付コネクタ１７との嵌合が緩んでしまう場合があり、この場合には、端子板自体に負荷がかかり故障の原因にもなる。
【００２５】
更に、従来では、示名条片台３４を図３に示す位置に設置しているが、設置した位置の端子板に対してのＵスリット端子とジャンパ線との結線作業を行う場合、示名条片台３４が上段の端子板のＵスリットハウジングを覆っているため、一端フロントプレート３２から示名条片台３４を取り外して、ジャンパ線をＵスリット端子に結線した後、再度取り付ける作業が必要となる。この作業のため、示名条片台３４を紛失してしまう可能性が高く、また、示名条片台３４の着脱作業があるため結線作業の効率の低下に繋がっている。
【００２６】
本発明は、上述した問題点に鑑みなされたものであり、作業員の結線作業の効率を向上させることができる端子板組立体を提供することを目的とする。
【００２７】
【課題を解決するための手段】
上記課題を解決するために、本件発明は、以下の特徴を有する課題を解決するための手段を採用している。
【００２８】
請求項１に記載された発明は、並列された複数のＵスリット端子からなるＵスリットハウジングと、前記各Ｕスリット端子に電気的に接続され嵌合方向に対して位置をずらして並設されたコネクタと、前記Ｕスリット端子に電線を通線する通線口ユニットとを有する端子板を複数用いて多段に配列し、フロントプレートを含む枠体により保持され組み立てられる端子板組立体において、前記コネクタに嵌合される外部コネクタの突出部を保護するコネクタシールドを有することを特徴とする。
【００２９】
請求項１記載の発明によれば、外部コネクタを接続することにより生じる突出部に接触することにより外部コネクタが外れることがなく、また、外部コネクタとの嵌合が緩むことがないため、結線不良を防止することができる。これにより、作業員は結線作業を容易に行うことができ作業効率を向上させることができる。
【００３０】
請求項２に記載された発明は、前記コネクタシールドは、前記フロントプレートから前記突出部に向けて傾斜を設けて形成されることを特徴とする。
【００３１】
請求項２記載の発明によれば、コネクタシールドに作業員の服等が引っかかることを防止することができる。これにより、作業員は結線作業を容易に行うことができ作業効率を向上させることができる。
【００３２】
請求項３に記載された発明は、並列された複数のＵスリット端子からなるＵスリットハウジングと、前記各Ｕスリット端子に電気的に接続されているコネクタと、前記Ｕスリット端子に電線を通線する通線口ユニットとを有する端子板と、前記端子板を識別する示名条片台と、前記示名条片台が取り付けられるフロントプレートとを有し、前記フロントプレートを含む枠体により複数の前記端子板が多段に配列されて保持される端子板組立体において、前記フロントプレートは、前記示名条片台を摺動させる摺動部と、前記示名条片台を係止させる係止部とを有することを特徴とする。
【００３３】
請求項３記載の発明によれば、示名条片台を端子板組立体から取り外すことなく電線（ジャンパ線）を端子板のＵスリット端子に結線させる作業を行うことができる。これにより、結線作業の作業効率を向上させることができる。また、係止部により摺動可能な示名条片台を固定し安定させることができる。
【００３４】
【発明の実施の形態】
本発明は、複数の端子板により形成される端子板組立体において、作業員が既に端子板の交換機側コネクタに嵌合されているケーブル付コネクタのコネクタタブに意図に反して接触することを防止するため、交換機側コネクタ面にケーブル付コネクタの突出部との接触を防ぐコネクタシールドを設けることで、Ｕスリットハウジング面側から作業員が作業を行う場合にもケーブル付コネクタを保護することができ、ケーブル付コネクタの抜け等による結線不良が生じることを防止することができる。これにより、作業員の結線作業を容易にして、作業効率を向上させることができる。
【００３５】
また、端子板組立体における端子板のＵスリット端子に電線（ジャンパ線）を結線する場合に示名条片台を取り外すことなく結線作業が行えるようにするため、示名条片台の端部がフロントプレートにスライド移動（摺動）が可能になるようにＵスリットハウジング面と並行に摺動部を設け、更に、示名条片台が所定の位置で係止されるように係止部を設けることにより、結線作業時に示名条片台を取り外すことがなく、更に、係止部により摺動可能な示名条片台を安定させることができるため、作業員の結線作業の効率を向上させることができる。
【００３６】
次に、本発明における実施の形態について図を用いて説明する。図４は、本発明における端子板組立体の一例の上面図である。
【００３７】
図４の端子板組立体４０は、ＭＴＧ４１と、Ｕスリットハウジング４２と、通線口ユニット４３と、整線部４４と、ＭＤＦ取付部４５と、コネクタシールド４６とを有するよう構成されている。なお、ケーブル付コネクタ４７は端子板の交換機側コネクタと嵌合されているものとする。また、ケーブル付コネクタ４７はコネクタタブ４８を有している。ここで、図４における端子板における構成は、図１及び図２に示した端子板の構成と同一であるため、ここでの説明は省略する。
【００３８】
図４に示すように、コネクタシールド４６を有することにより、例えば、作業員が、Ｕスリットハウジング４２面側から図４における矢印ａ方向に対して手や体を移動させた場合、ケーブル付コネクタ４７−１，４７−２が突出していないため、手や服の袖等が意図に反して接触することがない。このため、特に、コネクタタブ４８−２を作業員が気がつかずに開いてしまうことがなく、ケーブル付コネクタ４７−２の外れ、又は交換機側コネクタとの嵌合が緩むことにより生じる結線不良を防止することができる。また、作業員は手や体等を移動する時にもケーブル付コネクタ４７の突出部を気にすることなく、効率的に結線作業を行うことができる。
【００３９】
更に、コネクタシールド４６は、図４に示すようにケーブル付コネクタ４７の突出部を保護するように傾斜を設けて形成することで、作業員の手や体の矢印ａ方向へのスムーズな移動が可能になる。
【００４０】
次に、本発明における端子板組立体について斜視図を用いて説明する。なお、図４と同一の主要構成部については、名称及び符号を同一のものを用いることとする。
【００４１】
図５は、本発明における端子板組立体の一例の斜視図である。図５の端子板組立体５０は、ＭＴＧ４１と、Ｕスリットハウジング４２と、整線部４４と、ＭＤＦ取付部４５と、コネクタシールド４６と、フロントプレート５１とを有するよう構成されている。端子板組立体５０は、図１及び図２で示した端子板がＭＴＧ４１、フロントプレート５１により１２列多段積みされており、１９２回線収容の端子板組立体が形成される。更に、各端子板の交換機側コネクタにはケーブル付コネクタ４７（ケーブルは図示せず）が接続されており、ケーブル付コネクタ４７にはコネクタタブ４８を備えている。
【００４２】
図５に示すように、コネクタシールド４６が多段積みして構成されている全てのケーブル付コネクタ４７の突出部を保護するよう一体に形成することにより、全てのケーブル付コネクタ４７のコネクタタブ４８を作業員が気がつかずに開いてしまうことがなく、ケーブル付コネクタ４７の外れ、又は交換機側コネクタとの嵌合が緩むことにより生じる結線不良を防止することができる。
【００４３】
なお、コネクタシールド４６は、フロントプレート５１と一体に形成されていてもよく、また、コネクタシールド４６をフロントプレート５１にネジ等により取り付けて設置させてもよい。
【００４４】
更に、本発明における端子板組立体５０には、一対のフロントプレート５１のＵスリットハウジング４２面側に示名条片台５２を係止させるための係止用突部５３（係止部）と、示名条片台５２がＵスリットハウジング面と並行にスライド移動（摺動）ができるように矩形に開口された矩形開口部５４（摺動部）とが形成されている。更に、示名条片台５２には、係止用突部５３と係合させるための係止用開口部５５を有している。これにより、示名条片台５２をフロントプレート５１に取り付けたままスライド移動が可能になり、着脱作業を必要とせず多段接続された全ての端子板のＵスリット端子とジャンパ線との結線作業を容易に行うことができる。
【００４５】
ここで、フロントプレート５１に形成される係止用突部５３及び矩形開口部５４は、図５における斜視図において多段積みで形成されている端子板の上段と下段に形成されているが、これは、本発明における端子板組立体５０をＭＤＦ取付部４５によりＭＤＦに取り付ける際、通線口ユニット面側を上面に、ケーブル付コネクタ接続面を下面になるように取り付けた場合に、示名条片台５２がＵスリットハウジング４２面側から見て左側に取り付けることができるようにするためである。
【００４６】
なお、フロントプレート５１に形成される係止用突部５３及び矩形開口部５４の位置は、本発明においてはこの限りではなく、示名条片台５２を設置したまま端子板の幅以上のスライド移動が可能であり、また、係止用突部５３により示名条片台５２の係止が可能であればよく、フロントプレート５１に係止用突部５３及び矩形開口部５４が少なくとも１つ形成されていればよい。なお、示名条片台５２は、フロントプレート５１からの取り外すこともできる。
【００４７】
ここで、示名条片台５２とフロントプレート５１との係合の様子を図を用いて説明する。図６は、本発明における示名条片台と、フロントプレートとの係合の様子を説明するための図である。ここで、図６（ａ）は、示名条片台５２のスライドの様子を示し、図６（ｂ）は、係止用突部により示名条片台が係止されている様子を示している。
【００４８】
図６に示すように、係止用突部５３（係止部）が設けられていない部分ではスライド移動を行うことができ、これにより、示名条片台５２にてＵスリットハウジングが覆われていた端子板、特に、係止用突部５３に位置付けられている端子板におけるジャンパ線とＵスリット端子との結線作業において、示名条片台５２を図６（ａ）に示すようにスライド移動（摺動）させることで、示名条片台５２を取り外すことなく結線作業を効率的に行うことができる。また、結線作業が終了時には、図６（ｂ）に示すように、係止用突部５３に示名条片台５２の係止用開口部５５により係合するようスライド移動させることにより示名条片台５２を容易に係止することができる。
【００４９】
次に、フロントプレート５１に設けられる係止用突部５３と、示名条片台５２に設けられる係止用開口部５５における係止の様子を図を用いて説明する。図７は、示名条片台の係止部の一例を示す拡大図である。
フロントプレート５１の係止用突部５３に係止させるための係止用開口部５５と、矩形開口部５４に挿入しスライドできるよう示名条片台５２の端部の内側に形成された示名条片台突部７１と、示名条片台５２のスライド移動と係止用開口部５５との係止が確実に行えるように形成されたスライド溝７２とを有している。これにより、示名条片台５２の安定性を向上させることができる。
【００５０】
なお、示名条片台５２においては、係止用開口部５５の代わりに係止用突部５３の突出の高さに対応させた係止用凹部を設けて係合させても同様の効果を得ることができる。また、本発明において、フロントプレート５１における係止用突部５３と、示名条片台５２の係止用開口部５５及びスライド溝７２とにおける形成内容においては、この限りでなく、例えば、上述の形成内容の凹凸を夫々逆にしてもよい。
【００５１】
次に、本発明における端子板組立体５０のＭＤＦへの取り付けの様子について図を用いて説明する。図８は、本発明における端子板組立体をＭＤＦに取り付ける様子を示す一例の図である。なお、図８の端子板組立体５０は、図５と同様のものであるため、端子板及び端子板組立体の主要構成部の説明は省略する。
【００５２】
ＭＤＦ側には、端子板組立体５０を取り付けるための取付フレーム８１と、取付板８２が設けられており、これにより、取付フレーム８１に複数の端子板組立体５０を縦列に取り付けることができる。ここで、端子板組立体５０を取付板８２に取り付ける場合、端子板組立体５０に設けられているＭＤＦ取付部４５に備えているボルト８３を取付板８２の所定の穴に通し、反対側からナット８４により締め付けることにより端子板組立体５０をＭＤＦに設置することができる。
【００５３】
なお、本明細書において、端子板組立体における端子板の段数を１２段として配列し保持された端子板組立体について説明したが、本発明においてはこの限りではなく、例えば、端子板を１６枚としてＭＴＧ及びフロントプレートからなる枠体により多段積みに配列し保持させることにより、２５６回線が収容可能な端子板組立体を形成することができる。
【００５４】
上述したように本発明によれば、複数の端子板により形成される端子板組立体において、作業員が既に端子板の交換機側コネクタに嵌合されているケーブル付コネクタのコネクタタブに意図に反して接触することを防止するため、交換機側コネクタ面にケーブル付コネクタの突出部との接触を防ぐコネクタシールドを設けることで、Ｕスリットハウジング面側から作業員が作業を行う場合にもケーブル付コネクタを保護することができ、ケーブル付コネクタの抜け等による結線不良が生じることを防止することができる。これにより、作業員の結線作業の効率を向上させることができる。
【００５５】
また、端子板組立体における端子板のＵスリット端子に電線（ジャンパ線）を結線する場合に、示名条片台を取り外すことなく結線作業が行えるようにするため、示名条片台の端部がフロントプレートにスライド移動（摺動）が可能になるようにフロントプレートに摺動部を設け、更に、示名条片台が所定の位置で係止されるように係止部を設けることにより、結線作業時に示名条片台を取り外すことがなく、更に、係止部により摺動可能な示名条片台を安定させることができるため、作業員の結線作業の効率を向上させることができる。
【００５６】
なお、本発明は、具体的に開示された実施例に限定されるものではなく、特許請求した本発明の範囲から逸脱することなく、種々の変形例や実施例が考えられる。
【００５７】
【発明の効果】
上述の如く、本発明によれば、作業員の結線作業の効率を向上させることができる端子板組立体を提供することができる。
【図面の簡単な説明】
【図１】端子板の一例を示す斜視図である。
【図２】通線口ユニットを説明するための図である。
【図３】端子板組立体の一例を示す斜視図である。
【図４】本発明における端子板組立体の一例の上面図である。
【図５】本発明における端子板組立体の一例の斜視図である。
【図６】本発明における示名条片台と、フロントプレートとの結合の様子を説明するための図である。
【図７】示名条片台の係止部の一例を示す拡大図である。
【図８】本発明における端子板組立体をＭＤＦに取り付ける様子を示す一例の図である。
【符号の説明】
１０  端子板
１１  プリント配線板
１２，４２  Ｕスリットハウジング
１３  フレーム
１４，４３  通線口ユニット
１５  半導体保安素子
１６  交換機側コネクタ
１７，４７  ケーブル付コネクタ
１８，４８  コネクタタブ
２１  区切り壁
２２  線通口
２３  突起
３０，４０，５０  端子板組立体
３１，４１  ＭＴＧ
３２，５１  フロントプレート
３３，４４  整線部
３４，５２  示名条片台
３５，４５  ＭＤＦ取付部
３６  示名条片台取付用開口部
４６  コネクタシールド
５３  係止用突部（係止部）
５４  矩形開口部（摺動部）
５５  係止用開口部
７１  示名条片台突部
７２  スライド溝
８１  取付フレーム
８２  取付板
８３  ボルト
８４  ナット
【図１】
2004259621.tif 000003
【図２】
2004259621.tif 000004
【図３】
2004259621.tif 000005
【図４】
2004259621.tif 000006
【図５】
2004259621.tif 000007
【図６】
2004259621.tif 000008
【図７】
2004259621.tif 000009
【図８】
2004259621.tif 000010